(57)【要約】      （修正有）【課題】一般的なサイズのティッシュを使用可能とし、より小面積で使用可能なティッシュケースを提供する。【解決手段】ティッシュケース１は、略直方体からなる箱の上面及び側面にそれぞれ形成されるティッシュ取出用孔２１１等と、箱内に配置され、少なくとも一方が表面が平滑なプラスチックで形成される第一の中敷板３及び第二の中敷板４と、を備える。箱の底面内側と第一の中敷板の間には第一の反発部材５が配置され、箱の上面内側と第二の中敷板の間には第二の反発部材６が配置され、かつ、第一の中敷板と第二の中敷板の間にティッシュを配置して箱の側面からティッシュを取り出し可能とする。また、箱の上面内側と第二の中敷板の間にもティッシュを配置して箱の上面からもティッシュを取り出すことが可能とする。【選択図】図２
0003171933.tif 000002
【実用新案登録請求の範囲】
【請求項１】
略直方体からなる箱の上面及び側面にそれぞれ形成されるティッシュ取出用孔と、
前記箱内に配置され、少なくとも一方が表面が平滑なプラスチックで形成される第一の中敷板及び第二の中敷板と、を有しており、
前記箱の底面内側と前記第一の中敷板の間には第一の反発部材が配置され、
前記箱の上面内側と前記第二の中敷板の間には第二の反発部材が配置され、かつ、
前記第一の中敷板と前記第二の中敷板の間にティッシュを配置して前記箱の側面からティッシュを取り出すことが可能であるとともに、前記箱の上面内側と第二の中敷板の間にもティッシュを配置して前記箱の上面からもティッシュを取り出すことが可能であるティッシュケース。
【請求項２】
略直方体からなる箱の上面及び側面にそれぞれ形成されるティッシュ取出用孔と、
前記箱内に配置され、少なくとも一方が表面が平滑なプラスチックで形成される第一の中敷板及び第二の中敷板と、を有しており、
前記箱の底面内側と前記第一の中敷板の間には第一の反発部材が配置され、
前記箱の第一の中敷板と前記第二の中敷板の間には第一の引付部材が配置され、かつ、
前記第一の中敷板と前記第二の中敷板の間にティッシュを配置して前記箱の側面からティッシュを取り出すことが可能であるとともに、前記箱の上面内側と第二の中敷板の間にもティッシュを配置して前記箱の上面からもティッシュを取り出すことが可能であるティッシュケース。
【請求項３】
前記第二の反発部材は、前記第二の中敷板の前記箱上面内側の面の側辺部に対に配置された永久磁石と、前記上面内側の側辺部に対に配置された永久磁石と、を用いてなる請求項１記載のティッシュケース。
【考案の詳細な説明】
【技術分野】
【０００１】
本考案は、ティッシュケースに関する。
【背景技術】
【０００２】
ティッシュは、鼻をかむ、机の軽い汚れをふき取る際、極めて多様な用途に用いることができる日常生活における必需品である。
【０００３】
一般にティッシュケースは、略直方体の箱で構成されており、上面にティッシュ取出孔が形成され、そのティッシュ取出用孔からティッシュを取出す構成となっている。なおティッシュは、一枚一枚が折り曲げられ、それらが噛み合うよう積層されており、上から一枚取出せば次の一枚が引っ張られ、取出しやすくティッシュ取出孔から一部出るようになっている。
【０００４】
ティッシュケースに関する公知の技術として、例えば下記特許文献１に記載の技術がある。
【先行技術文献】
【特許文献】
【０００５】
【特許文献１】特開２００４−３１０４７９号公報
【考案の概要】
【考案が解決しようとする課題】
【０００６】
しかしながら、一般のティッシュケースは、直方体のうち上面（最も面積の広い面）に取出し孔が形成されるのが殆どであり、設置するために必要な面積が大きくなってしまうといった課題がある。特に、ティッシュケースの場合、ティッシュケースの上に物を置くことは許されず、結局その面積はティッシュのためだけに確保しなければならない。仮に、机上の書類等の上に置けば面積の無駄を省くことができるが、ティッシュケースの位置が不定となり、書類を取出す際別の場所にティッシュケースを動かす必要があり、この結果ティッシュケースがどこにあるのか分からなくなってしまうといった状況が少なからず発生してしまう。また仮に、この面積を少なくするため、ティッシュ取出し面の面積を小さくするティッシュを考えることができるが、ティッシュのサイズ自体を変更することとなるため特注品となり、現在大量生産されている一般的なティッシュサイズのものを用いることができずコスト高となるといった新たな課題が生じてしまう。
【０００７】
そこで、本考案は、上記課題を鑑み、一般的なサイズのティッシュを使用可能とし、より小面積で使用可能なティッシュケースを提供することを目的とする。
【課題を解決するための手段】
【０００８】
上記課題を解決する第一の観点に係るティッシュケースは、略直方体からなる箱の上面及び側面にそれぞれ形成されるティッシュ取出用孔と、前記箱内に配置され少なくとも一方が表面が平滑なプラスチックで形成される第一の中敷板及び第二の中敷板と、を有しており、箱の底面内側と第一の中敷板の間には第一の反発部材が配置され、箱の上面内側と第二の中敷板の間には第二の反発部材が配置され、かつ、第一の中敷板と第二の中敷板の間にティッシュを配置して箱の側面からティッシュを取り出すことが可能であるとともに、箱の上面内側と第二の中敷板の間にもティッシュを配置して前記箱の上面からもティッシュを取り出すことが可能である。
【０００９】
また、上記課題を解決する第二の観点に係るティッシュケースは、略直方体からなる箱の上面及び側面にそれぞれ形成されるティッシュ取出用孔と、箱内に配置され少なくとも一方が表面が平滑なプラスチックで形成される第一の中敷板及び第二の中敷板と、を有しており、箱の底面内側と第一の中敷板の間には第一の反発部材が配置され、箱の第一の中敷板と第二の中敷板の間には第一の引付部材が配置され、かつ、第一の中敷板と第二の中敷板の間にティッシュを配置して箱の側面からティッシュを取り出すことが可能であるとともに、箱の上面内側と第二の中敷板の間にもティッシュを配置して箱の上面からもティッシュを取り出すことが可能である。
【考案の効果】
【００１０】
以上、本考案により、一般的なサイズのティッシュを使用可能とし、より小面積で使用可能なティッシュケースを提供することができる。
【図面の簡単な説明】
【００１１】
【図１】実施形態１に係るティッシュケースの概略斜視図である。
【図２】実施形態１に係るティッシュケースの概略断面図である。
【図３】実施形態１に係る永久磁石が配置された第一の中敷板の一面を示す図である。
【図４】実施形態１に係る永久磁石が配置された第二の中敷板の一面を示す図である。
【図５】実施形態１に係るティッシュケースを本棚に立てた場合のイメージ図である。
【図６】実施形態１に係るティッシュケースの他の例を示す図である。
【図７】実施形態２に係るティッシュケースの概略断面図である。
【考案を実施するための最良の形態】
【００１２】
以下、本考案の実施形態について図面を参照しつつ説明する。ただし、本考案は多くの異なる態様で実施することが可能であり、以下に示す実施形態に限定されるものではない。なお、本明細書においては同一又は同様の機能を有する部分には同一の符号を付し、その繰り返しの説明は省略する。
【００１３】
（実施形態１）
図１は、本実施形態に係るティッシュケース１（以下「本ケース」という。）の概略斜視図であり、図２は、本ケースの概略断面図であり、図３は、第一の中敷板３の一面を示す図であり、図４は第二の中敷板４の一面を示す図である。これらの図で示すように、本ケース１は、略直方体からなる箱２の上面２１及び側面２２にそれぞれ形成されるティッシュ取出用孔２１１、２２１と、箱内に配置される第一の中敷板３及び第二の中敷板４と、を有しており、箱２の底面内側２３と第一の中敷板３の間には第一の反発部材５が配置され、箱の上面内側２４と第二の中敷板４の間には第二の反発部材６が配置され、かつ、第一の中敷板３及び第二の中敷板４の少なくともいずれかは表面が平滑なプラスチックで形成され、第一の中敷板３と第二の中敷板４の間にティッシュＴ１を配置して箱の側面２２からティッシュを取り出すことが可能であるとともに、箱２の上面内側２４と第一の中敷板３の間にもティッシュＴ２を配置して箱の上面２１からもティッシュを取り出すことが可能となっている。
【００１４】
本実施形態において、ティッシュケース１は、上記の通り略直方体からなる箱である。ここで「略直方体」とは、完全な直方体を含むことはもちろんであるが現実的に直方体と認識しうる程度の形状まで含まれる。
【００１５】
また本考案において、箱の「上面」とは、直方体を形成する６面のうち基準となる一面であり、任意の面を採用することができるが、本考案では、最も面積の広い面を意味する。一般の家庭用ティッシュケースではこの面にティッシュ取出用孔が形成され、ここからティッシュを取出す。なお本考案において、箱の「側面」とは、上面に辺で接する４つの面をいい、箱の「底面」とは、上面に対向する面をいう。
【００１６】
本実施形態では、上記の通り、箱２の上面２１及び側面２２にティッシュ取出用孔２１１、２２１が形成されている。ここでティッシュ取出用孔２２１が形成される側面２２としては、上面に接している４面のいずれに形成してもよいが、本実施形態では４面のうち面積の多いほうの側面を選択し、ティッシュ取出用孔２２１を形成している。
【００１７】
また本実施形態では、箱内に、第一の中敷板３及び第二の中敷板４を有している。第一の中敷板３及び第二の中敷板４は、底面内面２３及び上面内面２４とほぼ同じ面積及び形状、又は、少し側面との間に空隙が形成される程度の面積及び形状で形成されており、底面内面及び上面内面と略平行な状態を保ちつつ、箱内の空間を移動することができる。第一の中敷板３と第二の中敷板４は同じものを採用することができるが、本考案では説明をわかりやすくするため、底面２２に近い側に配置される中敷板を第一の中敷板３、上面２１に近い側に配置される中敷板を第二の中敷板４と表現する。
【００１８】
また本実施形態において、第一の中敷板３及び第二の中敷板４の少なくとも一方は表面が平滑なプラスチックで形成されていることが好ましい。この理由は本考案の全体の説明から明らかであるが、第一の中敷板３と第二の中敷板４の間にティッシュを挟み、側面のティッシュ取出孔からティッシュを取出す際、ティッシュ間の摩擦よりも高い摩擦をティッシュとの間で発生させてしまうと、次のティッシュをティッシュ取出孔から突出させることができなくなってしまう（次のティッシュが取出せなくなってしまう）ためである。このため、表面を平滑にすることでティッシュ同士の摩擦のほうを強くし、次のティッシュを取出しやすくする。この結果、中敷板はプラスチックを採用する。プラスチックは、表面がなめらかであれば特に限定されるわけではないが、例えばポリエチレンテレフタレート、ポリエチレン、塩化ビニル、ポリプロピレン、ポリスチレン、アクリル樹脂、ＡＢＳ樹脂、ポリアミド、ポリカーボネート等様々なものを採用することができ特に限定されない。なお、表面が平滑なプラスチックで形成されている限りにおいて、例えば、基材を他の材料（例えば木材や紙）などで形成し、表面にプラスチックでコーティングしたものもここには含まれる。
【００１９】
また本実施形態では、箱２の底面内側２３と第一の中敷板３の間には第一の反発部材５が配置されている。このようにすることで、箱２内に配置されるティッシュの量が減った場合であっても、ティッシュの位置を底面側に押し上げることができ、側面からティッシュが取出せなくなってしまうおそれを少なくすることができる。また、ティッシュを立てる（上面を鉛直方向に置く）場合において、ティッシュが垂れてしまうことを防止し、上面に対し略平行な状態で積層した状態を維持しやすくなるといった利点もある。
【００２０】
本実施形態において、第一の反発部材５は、底面内側から第一の中敷板３を略平行に反発させることができる限りにおいて限定されるわけではないが、第一の中敷板の底面内側に向かう側に配置される永久磁石と、底面内側に配置される永久磁石とを有して構成され、これら向かい合う磁極を同じとし、これらの反発力により反発する構成とすることが簡便で好ましい。なおこの場合において、磁石の配置としては特に限定されないが、底面内側の一対の辺の側部と第一の中敷板３の対向する一対の辺の側部において配置することはバランス及び効率の観点から好ましい。例えば図３に、永久磁石が配置された第一の中敷板３の一面について示しておく。
【００２１】
なお、本実施形態では、第一の反発部材５に永久磁石を用いる例を示しているが、例えば第一の中敷板３と底面内側の間にバネを配置し、このバネの反発力を用いて第一の中敷板３を上昇させるようにしても良い。
【００２２】
また本実施形態では、箱２の上面内側２４と第二の中敷板４の間には第二の反発部材６が配置されている。このようにすることで、第一の中敷板３と第二の中敷板４の間に配置されたティッシュを押さえ、ティッシュ上面を側面に形成されるティッシュ取出用孔２２１に合わせ、この孔からティッシュを取出しやすくすることができる。また、ティッシュを立てる（上面を鉛直方向に置く）場合において、ティッシュが垂れてしまうことを防止し、上面に対し略平行な状態で積層した状態を維持しやすくなるといった利点もある。
【００２３】
本実施形態において、第二の反発部材６は、上面内側から第二の中敷板４を略平行に反発させることができる限りにおいて限定されるわけではないが、第二の中敷板の上面内側に向かう側に配置される永久磁石と、上面内側に配置される永久磁石とを有して構成され、これら向かい合う磁極を同じとし、これらの反発力により反発する構成とすることが簡便で好ましい。なおこの場合において、磁石の配置としては特に限定されないが、上面内側の一対の辺の側部と第二の中敷板４の対向する一対の辺の側部において配置することはバランス及び効率の観点から好ましい。例えば図４に、永久磁石が配置された第二の中敷板４の一面について示しておく。なお、上面内側と第二の中敷板４の間にはティッシュを配置することがあるため、第二の反発部材６にバネ等を配置するとティッシュを配置するために工夫が必要となるため、上記永久磁石を配置しておくことが好ましい。
【００２４】
上記の構成の結果、本実施形態では、第一の中敷板３と第二の中敷板４の間にティッシュＴを配置して箱の側面２２からティッシュを取り出すことが可能である。より具体的には、第一の中敷板３と第二の中敷板４の間にティッシュＴを配置する一方、第一の中敷板は底面と反発し、第二の中敷板は上面と反発しているため、このティッシュＴは第一の中敷板及び第二の中敷板により抑えられる。しかもこの場合において、ティッシュの位置は反発部材の力加減により調節可能であるが側面のティッシュ取出用孔近傍に配置され、側面から容易に取出すことができるようになっている。しかも第一の中敷板３、第二の中敷板４の少なくともいずれか一方が平滑な表面を有するため、この平滑な表面側に接したティッシュの層を抜き取ればこのティッシュの次のティッシュが摩擦により自動的にティッシュ取出用孔から突出することとなる。しかもこれはティッシュケースを立てた場合でも有効であり、例えば机上や本棚に立ててある本の間に配置することも可能となり、より小面積で使用可能となっている。この例を図５に示しておく。もちろん、このティッシュケースを立てない場合であっても、側面からティッシュを取出すことができるためこのティッシュケースの上に物を置くことが可能であり、より小面積で使用可能となるだけでなく、ティッシュの位置が不定となり場所が不明となるといったおそれも格段に少なくなる。
【００２５】
なお本実施形態では、箱の上面にもティッシュ取出用孔が形成され、箱の上面内側２４と第二の中敷板の間にもティッシュＴを配置して前記箱の上面からもティッシュを取り出すことが可能である。なおこの場合において、ティッシュＴの使用により第一の中敷板３及び第二の中敷板４が変動したとしても、上面からの取出しには問題は無い。
【００２６】
また本実施形態によると、側面からティッシュを取出す構成としているが一般のサイズのティッシュをそのまま用いることができるため小面積化を図ることができ、特別なサイズのティッシュを作成する必要がなく、コストの上昇を抑えることができる。
【００２７】
以上、本考案により、一般的なサイズのティッシュを使用可能とし、より小面積で使用可能なティッシュケースを提供することができる。なお、図６に、４側面全てにティッシュ取出用孔を形成した場合の図を示しておく。
【００２８】
（実施形態２）
本実施形態では、箱の上面内側２４と第二の中敷板４との間に配置される第二の反発部材の代わりに箱の第一の中敷板３と第二の中敷板４の間に第一の引付部材７を配置している点が異なるがそれ以外は同じである。以下詳細に説明する。ただし、その他の構成についてはほぼ同様であるため説明については省略する。図７に本実施形態に係るティッシュケースの側面から見た場合の概略断面図を示しておく。
【００２９】
本実施形態では上記の通り、第一の中敷板３と第二の中敷板４の間に第一の引付部材７を配置している。第一の引付部材としては、第一の中敷板３と第二の中敷板４を略平行に引き付けることができる限りにおいて限定されるわけではないが、第一の中敷板と第二の中敷板の互いに向き合う面にそれぞれ永久磁石を配置し、これら向かい合う磁極を異ならせ、これらの引力により引き付ける構成とすることが簡便で好ましい。なおこの場合において、磁石の配置としては特に限定されないが、第一の中敷板３及び第二の中敷板４の対向する一対の辺の側部それぞれにおいて配置することはバランス及び効率の観点から好ましい。
【００３０】
なお本実施形態の場合、第一の中敷板３と第二の中敷板４の間にはティッシュを配置することがあるため、第一の引付部材７にバネ等を用いるとティッシュを配置するために工夫が必要となるため、上記永久磁石であることは極めて有効である。
【００３１】
上記の構成の結果、本実施形態では、実施形態１と同様、第一の中敷板３と第二の中敷板４の間にティッシュＴを配置して箱の側面２２からティッシュを取り出すことが可能である。より具体的には、第一の中敷板３と第二の中敷板４の間にティッシュＴを配置する一方、第一の中敷板は底面と反発し、第二の中敷板は第一の中敷板と引き合うため、このティッシュＴは第一の中敷板及び第二の中敷板により抑えられる。しかもこの場合において、ティッシュの位置は反発部材の力加減及び第一の引付部材により適宜調節可能であるが側面のティッシュ取出用孔近傍に配置され、側面から容易に取出すことができるようになっている。しかも第一の中敷板３、第二の中敷板４の少なくともいずれか一方が平滑な表面を有するため、この平滑な表面側に接したティッシュの層を抜き取ればこのティッシュの次のティッシュが摩擦により自動的にティッシュ取出用孔から突出することとなる。しかもこれはティッシュケースを立てた場合でも有効であり、例えば机上や本棚に立ててある本の間に配置することも可能となり、より小面積で使用可能となっている。もちろん、このティッシュケースを立てない場合であっても、側面からティッシュを取出すことができるためこのティッシュケースの上に物を置くことが可能であり、より小面積で使用可能となるだけでなく、ティッシュの位置が不定となり場所が不明となるといったおそれも格段に少なくなる。
【００３２】
なお本実施形態では、箱の上面にもティッシュ取出用孔が形成され、箱の上面内側２４と第二の中敷板の間にもティッシュＴを配置して前記箱の上面からもティッシュを取り出すことが可能である。なおこの場合において、ティッシュＴの使用により第一の中敷板３及び第二の中敷板４が変動したとしても、上面からの取出しには問題は無い。
【００３３】
また本実施形態によると、側面からティッシュを取出す構成としているが一般のサイズのティッシュをそのまま用いることができるため小面積化を図ることができ、特別なサイズのティッシュを作成する必要がなく、コストの上昇を抑えることができる。
【００３４】
以上、本考案により、一般的なサイズのティッシュを使用可能とし、より小面積で使用可能なティッシュケースを提供することができる。
【産業上の利用可能性】
【００３５】
本考案は、ティッシュケースとして産業上の利用可能性がある。
【図１】
0003171933.tif 000003
【図２】
0003171933.tif 000004
【図３】
0003171933.tif 000005
【図４】
0003171933.tif 000006
【図５】
0003171933.tif 000007
【図６】
0003171933.tif 000008
【図７】
0003171933.tif 000009